(57)【要約】【課題】動画像視認性の向上が実現されたプロジェクタを提供する。【解決手段】  本発明は、与えられた映像データに応じて画像を投写するプロジェクタを提供する。このプロジェクタは、光源と、２次元的に配列された複数の光変調素子を有し、光源から供給された供給光を複数の光変調素子で変調する光変調部と、変調された変調光を投写する投写光学部と、光源と光変調部とを制御する制御部とを備える。光変調部は、映像データに応じて実行すべき複数の光変調素子の各々の変調状態を表す変調データを格納する変調データ格納部を備える。制御部は、変調データ格納部への複数の変調データの格納の完了に応じて、複数の光変調素子の変調状態を格納された複数の変調データに基づいてほぼ同一のタイミングで遷移させるとともに、格納完了に応じて光源を制御して供給光の光量を所定の時間だけ低下させる。【選択図】図２
2008158026.tif 000002
【特許請求の範囲】
【請求項１】
与えられた映像データに応じて画像を投写するプロジェクタであって、
光源と、
２次元的に配列された複数の光変調素子を有し、前記光源から供給された供給光を前記複数の光変調素子で変調する光変調部と、
前記変調された変調光を投写する投写光学部と、
前記光源と前記光変調部とを制御する制御部と、
を備え、
前記光変調部は、前記映像データに応じて実行すべき複数の光変調素子の各々の変調状態を表す変調データを格納する変調データ格納部を備え、
前記制御部は、前記変調データ格納部への前記複数の変調データの格納の完了に応じて、前記複数の光変調素子の変調状態を前記格納された複数の変調データに基づいてほぼ同一のタイミングで遷移させるとともに、前記格納完了に応じて前記光源を制御して前記供給光の光量を所定の時間だけ低下させるプロジェクタ。
【請求項２】
請求項１記載のプロジェクタであって、
前記所定の時間は、前記光変調部の応答速度に基づいて決定されているプロジェクタ。
【請求項３】
請求項１または２に記載のプロジェクタであって、
前記制御部は、前記所定の時間の経過後の光量を増加させることによって、前記所定の時間における光量の低下を補償するように前記光源を制御するプロジェクタ。
【請求項４】
請求項１ないし３のいずれかに記載のプロジェクタであって、
前記光源は、応答速度が相違する複数の発光デバイスを備え、
前記制御部は、前記複数の発光デバイスのうち比較的に応答速度が早い発光デバイスのみの光量を低下させることによって、前記供給光の光量を所定の時間だけ低下させるプロジェクタ。
【請求項５】
請求項１ないし４のいずれかに記載のプロジェクタであって、
前記光源は、発光効率が相違する複数の発光デバイスを備え、
前記制御部は、前記複数の発光デバイスのうち比較的に発光効率が低い発光デバイスのみの光量を低下させることによって、前記供給光の光量を所定の時間だけ低下させるプロジェクタ。
【請求項６】
請求項１ないし５のいずれかに記載のプロジェクタであって、
前記複数の光変調素子は、反射型の光変調素子であるプロジェクタ。
【請求項７】
与えられた画像データに応じて画像を投写する投影方法であって、
光源と、２次元的に配列された複数の光変調素子を有し前記光源から供給された供給光を複数の光変調素子で変調する光変調部と、前記変調された変調光を投写する投写光学部と、前記光源と前記光変調部とを制御する制御部とを準備する工程と、
前記映像データに応じて実行すべき変調状態を表す複数の変調データを、前記複数の光変調素子の各々に格納する工程と、
前記複数の変調データの格納の完了に応じて、前記複数の光変調素子の変調状態を前記格納された複数の変調データに基づいてほぼ同一のタイミングで遷移させる工程と、
前記複数の変調データの格納の完了に応じて、前記光源を制御して前記供給光の光量を所定の時間だけ低下させる工程と、
を備える画像投影方法。
【発明の詳細な説明】
【技術分野】
【０００１】
本発明は、動画像表示技術に関し、特に、動画像の表示において発生する動画像のボケを抑制するための技術に関する。
【背景技術】
【０００２】
動画像表示装置には、画像が常時表示されているホールド型表示装置と、ＣＲＴのようなインパルス型表示装置とがある。ホールド型表示装置は、フリッカー（ちらつき感）がないという利点を有する一方で、ディスプレイや人間の目の残像に起因する動画像視認性の問題（動画像ボケ）があるという欠点を有していた。このような欠点を解消するために、たとえばホールド型表示装置において液晶パネルの制御によって映像表示と黒表示とを行うインパルス型の表示を実現する技術が特許文献１に提案されている。
【０００３】
【特許文献１】特開２００６−１０６６８９号公報
【発明の開示】
【発明が解決しようとする課題】
【０００４】
しかし、このような液晶パネルその他のホールド型表示装置の制御では、映像表示と黒表示とを１フレームの期間で実行することが要求されるので、ホールド型表示装置に対して映像表示と黒表示とを適切に実現するための高速の応答性が要求されていた。一方、環境温度の変化に起因する応答時間の変動によって、たとえば入力電圧に対する出力照度特性が変動して輝度の意図しない変動や色づき（３板式の場合）の問題も生じていた。さらに、本願発明者は、液晶パネルその他の光変調デバイスの過度応答状態における変調誤差という課題にも想到した。
【０００５】
この発明は、従来技術における上述の課題を解決するためになされたものであり、動画像視認性が抑制されたプロジェクタを提供することを目的とする。
【課題を解決するための手段】
【０００６】
本発明は、与えられた映像データに応じて画像を投写するプロジェクタを提供する。このプロジェクタは、光源と、２次元的に配列された複数の光変調素子を有し、前記光源から供給された供給光を前記複数の光変調素子で変調する光変調部と、前記変調された変調光を投写する投写光学部と、前記光源と前記光変調部とを制御する制御部とを備える。前記光変調部は、前記映像データに応じて実行すべき複数の光変調素子の各々の変調状態を表す変調データを格納する変調データ格納部を備える。前記制御部は、前記変調データ格納部への前記複数の変調データの格納の完了に応じて、前記複数の光変調素子の変調状態を前記格納された複数の変調データに基づいてほぼ同一のタイミングで遷移させるとともに、前記格納完了に応じて前記光源を制御して前記供給光の光量を所定の時間だけ低下させる。
【０００７】
本発明のプロジェクタでは、変調データ格納部への変調データの格納の完了に応じて複数の光変調素子の変調状態をほぼ同一のタイミングで遷移させるとともに、光源を制御して供給光の光量を所定の時間だけ低下させるので、光変調部の過度応答状態における投影を抑制して正確な光変調を実現することができる。さらに、光量低下によってインパルス型の表示を行うことができるので、動きボケの抑制をも実現することができる。ここで、「光量を所定の時間だけ低下させる」とは、消灯をも含む広い意味を有する。
【０００８】
加えて、光変調デバイスによる映像表示と黒表示とによって動きボケを抑制する特許文献１に開示された技術の実現が光変調デバイスに対して高い応答特性を要求するのに対して、本願発明は、光変調デバイスによる黒表示を必要としないという特徴を有している。この結果、本願発明では、光変調デバイスに対して高い応答特性が要求されないので、光デバイスの低コスト化や光変調デバイスの選択の幅の拡大によって、コントラスト比その他の性能向上を実現することができる。
【０００９】
なお、変調データ格納部は、必ずしも光変調素子の各々の近傍に一体として実装されている必要はなく、たとえば光変調デバイスの外部バッファとして構成されていても良い。
【００１０】
上記プロジェクタにおいて、前記所定の時間は、前記光変調部の応答速度に基づいて決定するようにしても良い。こうすれば、光変調部の応答特性に対して最適化されたプロジェクタを実現することができる。
【００１１】
上記プロジェクタにおいて、前記制御部は、前記所定の時間の経過後の光量を増加させることによって、前記所定の時間における光量の低下を補償するように前記光源を制御するようにしても良い。こうすれば、所定の時間における光量低下に関わらず、観察者によって感じられる画像の明るさ（累積的な輝度）を維持することができる。
【００１２】
上記プロジェクタにおいて、前記光源は、応答速度が相違する複数の発光デバイスを備え、
前記制御部は、前記複数の発光デバイスのうち比較的に応答速度が早い発光デバイスのみの光量を低下させることによって、前記供給光の光量を所定の時間だけ低下させるようにしても良いし、
あるいは、
前記光源は、発光効率が相違する複数の発光デバイスを備え、
前記制御部は、前記複数の発光デバイスのうち比較的に発光効率が低い発光デバイスのみの光量を低下させることによって、前記供給光の光量を所定の時間だけ低下させるようにしても良い。
【００１３】
こうすれば、発光効率の向上と消費電力の低減を実現させることができる。なお、発光効率の良いランプとしては、たとえば超高圧水銀ランプが利用可能である。一方、応答速度の速いランプとしては、冷陰極線管の他、キセノン管、ＬＥＤなどの固体光源、ＥＬ（electroluminescence）も利用可能である。
【００１４】
上記プロジェクタにおいて、前記複数の光変調素子は、反射型の光変調素子であるようにしても良い。反射型の光変調素子は、素子における光の透過を考慮する必要がないので、変調データ格納部を透過型光変調素子と比較して容易に実装することができる。
【００１５】
なお、本発明は、投影方法やプロジェクタ制御装置、さらに、その装置の機能をコンピュータに実現させるためのコンピュータプログラムやファームウェア、そのコンピュータプログラムを記録した記録媒体、そのコンピュータプログラムを含み搬送波内に具現化されたデータ信号等の種々の形態で実現することができる。
【発明を実施するための最良の形態】
【００１６】
次に、本発明の実施の形態を実施例に基づいて以下の順序で説明する。
Ａ．プロジェクタの構成と動作：
Ｂ．変形例：
【００１７】
Ａ．プロジェクタの構成と動作：
図１は、本発明の実施例におけるプロジェクタＰＪの概略構成を示す説明図である。プロジェクタＰＪは、３つの色光（赤色光，緑色光，青色光）を射出する照明光学系２１０と、３つの液晶ライトバルブ２２０Ｒ，Ｇ，Ｂと、投写光学系２３０と、を備えている。プロジェクタＰＪは、さらに、光源ランプ駆動回路１１０と、アナログ画像データ供給回路１２０と、これらを制御する制御回路１５０と、を備えている。
【００１８】
光源ランプ駆動回路１１０は、照明光学系２１０が備える光源ランプ２１２（冷陰極線管）に電力を供給して、光源ランプ２１２を駆動する。冷陰極線管を使用しているのは、光量変化指令に対する応答特性が高いからである。アナログ画像データ供給回路１２０は、３つの液晶ライトバルブ２２０Ｒ，Ｇ，Ｂにアナログ画像データＦＤを供給する。アナログ画像データＦＤは、３つの液晶ライトバルブ２２０Ｒ，Ｇ，Ｂにそれぞれ供給される３つの色データＲ，Ｇ，Ｂを含んでいる。
【００１９】
３つの液晶ライトバルブ２２０Ｒ，Ｇ，Ｂは、アナログ画像データ供給回路１２０から供給されたアナログ画像データＦＤに含まれる３つの色データＲ，Ｇ，Ｂを用いて、照明光学系２１０から射出された３つの色光を変調する。これにより、各液晶ライトバルブ２２０Ｒ，Ｇ，Ｂの射出面には、各色の画像を表す光（画像光）が形成される。
【００２０】
投写光学系２３０は、各液晶ライトバルブ２２０Ｒ，Ｇ，Ｂに形成された各色の画像光をスクリーン上に投写して、スクリーン上にカラー画像を形成する。なお、本実施例では、各液晶ライトバルブ２２０Ｒ，Ｇ，Ｂが特許請求の範囲における「光変調部」に相当する。
【００２１】
図２は、本発明の実施例における液晶ライトバルブ２２０Ｒの内部構成を示す説明図である。液晶ライトバルブ２２０Ｇ，Ｂは、液晶ライトバルブ２２０Ｒと同一の内部構成を有している。
【００２２】
液晶ライトバルブ２２０Ｒは、セルアレイ３１０と、セルアレイ３１０を駆動する駆動回路３２０、３３０、３４０とを備えている。セルアレイ３１０は、Ｍ行Ｎ列のマトリクス状に配列されたＭ×Ｎ個のセル３０２を有している。駆動回路３２０、３３０、３４０は、行選択回路３２０と、列選択回路３３０と、画素データ供給回路３４０と、を備えている。
【００２３】
行選択回路３２０は、図示しないシフトレジスタを含んでおり、制御回路１５０から供給される垂直開始信号ＶＳと垂直クロック信号ＶＣとに応じて、セルアレイ３１０に対して各行選択信号ＲＳ1〜ＲＳMを出力する。これにより、セルアレイ３１０の各行の複数のセル３０２が選択される。
【００２４】
列選択回路３３０は、図示しないシフトレジスタを含んでおり、制御回路１５０から供給される水平開始信号ＨＳと水平クロック信号ＨＣとに応じて、画素データ供給回路３４０に対して各列選択信号ＣＳ1〜ＣＳNを出力する。これにより、行選択回路３２０で選択された行の中から選択されたセル３０２に色データＲに含まれる画素データが供給される。このような画素データの供給は、各列選択信号ＣＳ1〜ＣＳNによって画素データ供給回路３４０の電界効果トランジスタＴＲ1〜ＴＲNをオンすることによって実現される。なお、以下では、ｍ番目の行、かつ、ｎ番目の列に配置されたセル３０２を「（ｍ，ｎ）番目」のセル３０２と呼ぶ。
【００２５】
このようにして、行選択回路３２０および列選択回路３３０は、アナログ画像データ供給回路１２０から供給される信号に応じて、色データＲに含まれる画素データを（ｍ，ｎ）番目のセル３０２に対して順に供給することができる。
【００２６】
図３は、セルアレイ３１０が有する（ｍ，ｎ）番目のセル３０２の内部構成を示す説明図である。（ｍ，ｎ）番目のセル３０２は、液晶素子ＬＣと、２つのキャパシタＣａ，Ｃｂと、２つのｎチャネル型の電界効果トランジスタＴＲａ，ＴＲｂと、バッファ回路ＢＦと、を備えている。
【００２７】
セル３０２の各要素は、以下のように接続されている。トランジスタＴＲａについては、ソース端子Ｓ、ドレイン端子Ｄ、およびゲート端子Ｇが、それぞれキャパシタＣａ（およびバッファ回路ＢＦ）、画素データ供給回路３４０のトランジスタＴＲｎ、および行選択回路３２０に接続されている。トランジスタＴＲｂについては、ソース端子Ｓ、ドレイン端子Ｄ、およびゲート端子Ｇが、それぞれ液晶素子ＬＣ（およびキャパシタＣｂ）、バッファ回路ＢＦ、および制御回路１５０に接続されている。
【００２８】
なお、本実施例では、トランジスタＴＲｂ、キャパシタＣａ、およびバッファ回路ＢＦが特許請求の範囲における「変調データ格納部」に相当する。また、本実施例では、透過型の光変調素子が使用されているが、たとえば反射型の光変調素子を使用するようにしても良い。反射型の光変調素子は、光の透過を考慮する必要がないので、トランジスタＴＲｂやキャパシタＣａ、バッファ回路ＢＦといった素子の追加が透過型よりも容易に実装可能であるという利点がある。
【００２９】
図４は、本発明の実施例における液晶ライトバルブ２２０Ｒの駆動のタイミングチャートを示す説明図である。制御回路１５０は、垂直開始信号ＶＳと、水平開始信号ＨＳと同期した垂直クロック信号ＶＣ（図示省略）とによって行選択回路３２０を制御して行選択信号ＲＳm（図３、図２）を出力する。具体的には、垂直開始信号ＶＳで初期化を行い、垂直クロック信号ＶＣに応じて行選択信号ＲＳ1〜ＲＳmを順に出力する。行選択信号ＲＳmのタイミングチャート（図４）中の１、２〜ｍは、行番号を示している。これにより、ｍ行の全てのセル３０２のトランジスタＴＲａがオンされて、色データＲに含まれる画素データの供給を受けることができる状態となる。
【００３０】
このように、ｍ行の全てのセル３０２のトランジスタＴＲａがオンされている状態において、制御回路１５０は、列選択回路３３０を制御して行選択信号ＣＳnを出力し、画素データ供給回路３４０のトランジスタＴＲｎ（図２）をオンする。これにより、ｍ行ｎ列のセル３０２のみが、色データＲに含まれる画素データの供給を電圧値として受けることになる。このようにして供給された電圧値は、キャパシタＣａ（図３）によって維持されるとともに、バッファ回路ＢＦを駆動し、トランジスタＴＲｂのドレイン端子Ｄに同一の電圧値を印加する。このような処理を、各行各列のセル３０２に対して実行することによって、セルアレイ３１０が有する全てのセル３０２のトランジスタＴＲｂのドレイン端子Ｄに同一の電圧値が印加された状態で維持されることになる。
【００３１】
このような状態において、制御回路１５０は、次のフレームの垂直開始信号ＶＳに応じて、転送信号ＦＴ（図３、図２）をセルアレイ３１０が有する全てのセル３０２に対して同一のタイミングで送信する。これにより、全てのセル３０２のトランジスタＴＲｂがオンされ、液晶ＬＣのねじれ応答が一斉に開始される（図４）。次のフレームの垂直開始信号ＶＳに応じて、制御回路１５０は、光源ランプ駆動回路１１０を制御して照明光学系２１０を所定の時間だけ減光状態（あるいは消灯状態）とする。所定の時間は、液晶ＬＣの応答時間に基づいて、たとえば液晶ＬＣの透過率が所定値に達するまでの時間として決定されている。
【００３２】
このように、本実施例は、液晶ＬＣの各セル３０２を一斉に駆動するとともに、液晶ＬＣの応答時間の間に照明光学系２１０を減光状態（あるいは消灯状態）とすることができるので、液晶ＬＣのねじれ応答の完了後の正しい輝度での投影を実現することができる。さらに、本実施例は、液晶ＬＣを用いたホールド型において動画像ボケの抑制されたインパルス型の表示を実現することができる。
【００３３】
なお、本実施例では、照明光学系２１０の減光状態を作り出すことによって、観察者によって感じられる画像の明るさ（累積的な輝度）が低下するので、点灯状態においては減光状態を補償するように輝度を高くすることが好ましい。このような輝度の補償は、たとえば減光状態なしを想定したときの照明光学系２１０の輝度を輝度Ｗ１とするとき、減光状態（ここでは、消灯状態）有りを想定したときの照明光学系２１０の輝度Ｗ２は、以下の式で、点灯時間Ｔｏｎと消灯時間Ｔｏｆｆとを用いて算出することができる。
【００３４】
Ｗ２  ＝  Ｗ１  ×  （１＋Ｔｏｆｆ／（Ｔｏｎ＋Ｔｏｆｆ））
【００３５】
Ｂ．変形例：
なお、この発明は上記の実施例や実施形態に限られるものではなく、その要旨を逸脱しない範囲において種々の態様において実施することが可能であり、たとえば次のような変形も可能である。
【００３６】
Ｂ−１．上述の実施例では、冷陰極線管としての単一の光源ランプ２１２を含む照明光学系が利用されているが、たとえばハイブリッド光源２１０ａ（図５）のように複数の光源ランプを使用するようにしても良い。こうすれば、たとえば上述の実施例のように高輝度（点灯状態）と低輝度（減光状態）とを切り替えるのではなく、一方を常時点灯させつつ、他方を点滅（点灯／非点灯）させるように構成することもできる。なお、ランプは、３個以上でも良い。
【００３７】
さらに、ハイブリッド光源２１０ａは、発光効率の良い超高圧水銀ランプ２１２ａと、応答速度の速い冷陰極線管２１２とを備えているので、超高圧水銀ランプ２１２ａを常時点灯させつつ冷陰極線管２１２の光量を変動させることによって発光効率の向上と消費電力の低減を実現させることができる。なお、応答速度の速いランプとしては、冷陰極線管の他、キセノン管、ＬＥＤなどの固体光源、ＥＬ（electroluminescence）も利用可能である。
【００３８】
Ｂ−２．上述の実施例では、透過型の液晶ライトバルブ２２０Ｒ，Ｇ，Ｂを用いたプロジェクタに本発明が適用されているが、たとえば反射型の液晶を用いたプロジェクタにも適用可能である。さらに、フロント方式のプロジェクタだけでなく、たとえばリア方式のプロジェクタにも適用することができる。加えて、ＰＤＰ（Plasma Display Panel）のようなインパルス型の表示パネルにも適用することができる。さらに液晶だけでなく、他のタイプのデバイスに本発明が適用されるようにしてもよい。例えば、ＤＭＤ（ディジタル・マイクロミラー・デバイス）（ＴＩ社の商標）などのマイクロミラー型光変調デバイスなどに本発明が適用されてもよい。また、ＦＥＤ（Field Emission Display）やＥＬ（electroluminescence）ディスプレイといった自発光タイプのデバイスに本発明が適用されてもよい。
【００３９】
Ｂ−３．上述の実施例では、たとえば１回の画面表示を１回の走査で行なうプログレッシブ方式で表示が行われているが、たとえば奇数行と偶数行の２回の走査で１回表示を行なうインターレース方式にも適用可能である。このような場合には、奇数行と偶数行のいずれかのセル３０２における画素データの供給の完了が、特許請求の範囲における「複数の変調データの格納の完了」に相当する。
【００４０】
Ｂ−４．上述の実施例では、各液晶素子ＬＣの画素データを保存する素子ＴＲｂ、Ｃａ、ＢＦ（図３）が各液晶素子ＬＣ毎に設けられているが、これらの素子ＴＲｂ、Ｃａ、ＢＦは、必ずしも液晶素子ＬＣの各々の近傍に装備されている必要はなく、たとえば変形例の液晶ライトバルブ２２０Ｒa（図６）のように外部からの指令に応じて、ほぼ一斉に全ての液晶素子ＬＣに供給できるように液晶ライトバルブが構成されていればよい。
【００４１】
変形例の液晶ライトバルブ２２０Ｒa（図６）は、画素データバッファ回路３５０を備えている。画素データバッファ回路３５０は、セルアレイ３１０が有するＭ×Ｎ個のセル３０２の各々から液晶ＬＣと、液晶ＬＣと並列に接続されたキャパシタＣｂとを削除するとともに、画素データバッファ回路３５０内の行選択のための行選択回路（図示せず）を備えた構成を有している。
【００４２】
変形例では、画素データバッファ回路３５０への画素データの保存は、上述のシーケンスと同様のシーケンスで格納される。しかし、画素データバッファ回路３５０回路からセルアレイ３１０ａへのデータの転送は、全ての列にパラレルに転送することができるので、行毎のデータ転送が可能である。たとえば（１、１）〜（１，Ｎ）の全てのセル３０２aにパラレルに画素データを転送し、次に、（２、１）〜（２，Ｎ）の全てのセル３０２aにパラレルに画素データを転送し、というように行毎に画素データを転送することができる。このため、たとえば１９２０画素×１０８０画素のセルアレイでは、１９２０画素毎に画素データを転送できることになる。
【００４３】
なお、画素データバッファ回路は、必ずしも液晶ライトバルブに一体として実装されている必要はなく、液晶ライトバルブの外部に装備されていても良い。この場合には、液晶ライトバルブと、外部画素データバッファ回路とが、特許請求の範囲における「光変調部」に相当する。また、外部画素データバッファ回路は、特許請求の範囲における「変調データ格納部」に相当する。
【００４４】
なお、上記実施例において、ハードウェアによって実現されていた構成の一部をソフトウェアに置き換えるようにしてもよく、逆に、ソフトウェアによって実現されていた構成の一部をハードウェアに置き換えるようにしてもよい。
【００４５】
本発明の機能の一部または全部がソフトウェアで実現される場合には、そのソフトウェア（コンピュータプログラム）は、コンピュータ読み取り可能な記録媒体に格納された形で提供することができる。この発明において、「コンピュータ読み取り可能な記録媒体」とは、フレキシブルディスクやＣＤ−ＲＯＭのような携帯型の記録媒体に限らず、各種のＲＡＭやＲＯＭ等のコンピュータ内の内部記憶装置や、ハードディスク等のコンピュータに固定されている外部記憶装置も含んでいる。
【図面の簡単な説明】
【００４６】
【図１】本発明の実施例におけるプロジェクタＰＪの概略構成を示す説明図。
【図２】本発明の実施例における液晶ライトバルブ２２０Ｒの内部構成を示す説明図。
【図３】セルアレイ３１０が有する（ｍ，ｎ）番目のセル３０２の内部構成を示す説明図。
【図４】本発明の実施例における液晶ライトバルブ２２０Ｒの駆動のタイミングチャートを示す説明図。
【図５】本発明の変形例におけるハイブリッド光源２１０ａを示す説明図。
【図６】本発明の実施例における液晶ライトバルブ２２０Ｒａの内部構成を示す説明図。
【符号の説明】
【００４７】
１１０…光源ランプ駆動回路
１２０…アナログ画像データ供給回路
１５０…制御回路
２１０…照明光学系
２１０ａ…ハイブリッド光源
２１２…冷陰極線管
２１２…光源ランプ
２１２ａ…超高圧水銀ランプ
２２０Ｇ…液晶ライトバルブ
２２０Ｒ…液晶ライトバルブ
２３０…投写光学系
３０２…セル
３１０…セルアレイ
３２０…行選択回路
３２０…駆動回路
３３０…列選択回路
３４０…画素データ供給回路
３５０…画素データバッファ回路
【図１】
2008158026.tif 000003
【図２】
2008158026.tif 000004
【図３】
2008158026.tif 000005
【図４】
2008158026.tif 000006
【図５】
2008158026.tif 000007
【図６】
2008158026.tif 000008